(57)【要約】    【課題】  吹付ノズルの吹出口の向きの調整も容易となる洗浄具を提供するものである。    【解決手段】  洗浄ヘッド１と把持体２とを連結して成る洗浄具Ａにおいて、把持体２を、棒状の洗浄容器２７と、洗浄容器２７の軸方向に突設するように洗浄容器２７の先端面に取り付けられる吹付ノズル２９と、吹付ノズル２９に被さるようにして洗浄容器２７と同軸にして洗浄容器２７に連結される中継筒体２２とで構成し、同形状で且つ吹付ノズル操作が可能な大きさの一対の洗浄液の吹出窓２３を、中継筒体２２の周方向にほぼ１８０度間隔を設けて形成したことを特徴とする。【選択図】    図２
2010099506.tif 000002
【特許請求の範囲】
【請求項１】
洗浄ヘッドと把持体とを連結して成る洗浄具において、
前記把持体を、棒状の洗浄容器と、該洗浄容器の軸方向に突設するように前記洗浄容器の先端面に取り付けられる吹付ノズルと、該吹付ノズルに被さるようにして前記洗浄容器と同軸にして前記洗浄容器に連結される中継筒体とで構成し、
同形状で且つ吹付ノズル操作が可能な大きさの一対の洗浄液の吹出窓を、前記中継筒体の周方向にほぼ１８０度間隔を設けて形成したことを特徴とする洗浄具。
【発明の詳細な説明】
【技術分野】
【０００１】
本発明は、窓ガラス等の部材表面に付いた汚れを取るための洗浄具に関するものである。
【背景技術】
【０００２】
窓ガラス用の洗浄具には、高所まで洗浄し易くするために洗浄ヘッドに棒状の把持体を連結して形成されたものがある。この洗浄具の洗浄ヘッドは、通常、軟質発泡体及び拭き取りブレードを上下一対の保持体で挟持して構成されている。把持体には洗浄液の吹付ノズルを先端に有する洗浄容器が取り付けられたものがある。
【０００３】
そして、この洗浄具を用いて洗浄する場合には、吹付ノズルから洗浄液を窓ガラス面等の被洗浄面に吹き付け、洗浄ヘッドの軟質発泡体を汚れ面に押し付けながら往復動させて洗浄液を泡立てた後、拭き取りブレードの先端を被洗浄面上をスライドさせて洗浄液と共に汚れを拭き取るようにする。
【０００４】
洗浄ヘッドは、軟質発泡体や拭き取りブレードを上下一対の保持体で挟持すると共に上下の保持体をビス等の連結部材で結合して組み立てられる。また、軟質発泡体や拭き取りブレードが劣化したときには、連結部材を外して上下の保持体を引き離した後、新たな軟質発泡体又は拭き取りブレードを挟んだ上下の保持体を再び結合する作業が必要となる。
【０００５】
ところで、軟質発泡体はスポンジにて形成され、拭き取りブレードに較べて厚さ寸法が大きくなっている。したがって、軟質発泡体を保持体間にセットする際には、上下一対の保持体を軟質発泡体の厚さ寸法以上に引き離した後に上下の保持体を結合して軟質発泡体を挟持しなければならない。この場合、軟質発泡体を圧縮しながら上下一対の保持体を合致させなければならないので、保持体を結合位置に位置決めし難い。特に、最初の組立又は軟質発泡体等の取り替え後の組立を家庭等のユーザーが行う場合は、作業に手間取るという問題があった。
【０００６】
更に、吹付ノズルを吹出窓のあるカバーで覆う形式のものでは、吹付ノズルの吹き出し方向を吹出窓に合致させて組み立てる必要があるが、吹出口が吹出窓と正反対の方向を向いている場合には、吹出口の向きを変える作業が面倒になるという問題があった。
【発明の概要】
【発明が解決しようとする課題】
【０００７】
本発明は、吹付ノズルの吹出口の向きの調整が容易な洗浄具を提供することを課題とする。
【課題を解決するための手段】
【０００８】
本発明の前記課題を達成するために、本発明は、洗浄ヘッドと把持体とを連結して成る洗浄具において、前記把持体を、棒状の洗浄容器と、該洗浄容器の軸方向に突設するように前記洗浄容器の先端面に取り付けられる吹付ノズルと、該吹付ノズルに被さるようにして前記洗浄容器と同軸にして前記洗浄容器に連結される中継筒体とで構成し、同形状で且つ吹付ノズル操作が可能な大きさの一対の洗浄液の吹出窓を、前記中継筒体の周方向にほぼ１８０度間隔を設けて形成したことを特徴とする洗浄具である。
【発明の効果】
【０００９】
以上の説明からも明らかなように、本発明によれば、最大ほぼ４５度の回転角度で吹付ノズルの吹出口の向きを吹出窓に向けることができるので、吹付ノズルの吹出方向の調整が容易となる。
【図面の簡単な説明】
【００１０】
【図１】本発明の洗浄具の第１の実施形態を示す斜視図である。
【図２】本発明の洗浄具の第１の実施形態を示す分解斜視図である。
【図３】本発明の洗浄具の第１の実施形態の部分拡大斜視図である。
【図４】本発明の洗浄具の第１の実施形態の洗浄ヘッドの底面図である。
【図５】図４のＡ―Ａ線断面図ある。
【図６】図４のＢ―Ｂ線断面図ある。
【図７】本発明の洗浄具の第１の実施形態の洗浄ヘッドを示す一部切欠いた斜視図である。
【図８】本発明の洗浄具の第１の実施形態の洗浄ヘッドの下保持体の平面図である。
【図９】本発明の洗浄具の第１の実施形態の洗浄ヘッドの上保持体の底面図である
【図１０】本発明の洗浄具の第１の実施形態の洗浄ヘッドの組み立て過程を示す断面図である。
【図１１】本発明の洗浄具の第１の実施形態の洗浄ヘッドと把持体との連結状態を示す側断面図である。
【図１２】本発明の洗浄具の第１の実施形態の洗浄ヘッドと把持体との連結状態を示す底面図である。
【図１３】本発明の洗浄具の第２の実施形態を示す正面図である。
【発明を実施するための形態】
【００１１】
以下、実施の形態について図面を参照して説明をする。図１乃至図１２は第１の実施の形態を示している。図１に示すように、洗浄具Ａは、洗浄ヘッド１に把持体２を連結して構成されている。
【００１２】
洗浄ヘッド１は、軟質発泡体３と拭き取りブレード４と上下一対の保持体６，５とから成り、上下の保持体６，５の前部には軟質発泡体３が挟持され、上下の保持体６，５の後部には拭き取りブレード４が挟持されている。
【００１３】
軟質発泡体３は、軟質の発泡合成樹脂にて断面矩形で棒状に形成されている。この軟質発泡体３を洗浄液が吹き付けられた汚れ面に押し当てて往復動させることにより洗浄液を泡立てることができる。なお、軟質発泡体３の押し当て部を泡立てに支障のない範囲で薬剤にて硬化させて耐久性を向上させても良い。
【００１４】
拭き取りブレード４は、ハードラバーにて形成されており、図５に示すように、拭き取りブレード４の基端部には断面円形の抜け止め部４１が形成されている。なお、ハードラバーの材質としては、例えば、天然ゴム、スチレン系エラストマー、オレフィン系エラストマー、ネオプレン（登録商標）ゴム、シリコンゴム、エチレンポリプロピレンゴム等が挙げられるが、これらに特に限定されるものではない。
【００１５】
図５に示すように、下保持体５の前部には下挟持部５１が、下保持体５の後部には下ブレード挟持部５２がそれぞれ形成されている。上保持体６の前部には上挟持部６１が、上保持体６の後部には上ブレード挟持部６２がそれぞれ形成されている。
【００１６】
また、図８及び図９に示すように、上下の挟持部６１，５１の各先端部には係止歯６３，５３がそれぞれ列設されている。また、上下の保持体６，５の各ブレード挟持部６２，５２の各基端には拭き取りブレード４の抜け止め部４１が嵌まり込む係止溝６４，５４がそれぞれ形成されている。また、上保持体６の上挟持部ブレード挟持部６２の挟持面には係止突起６６が列設されている。
【００１７】
図８に示すように、下保持体５の左右両側にはねじ孔５５が形成され、また、図９に示すように、上保持体６には下保持体５のねじ孔５５に対応するねじ挿入孔６５が形成されている。
【００１８】
図７に示すように、下保持体５の下面には連結用突部７が突設されている。この連結用突部７は、下保持体５の下面中央を囲む同一円上に立設される左右一対の断面円弧状の連結用位置決め突片７１と前後一対の連結用係止突片７２とで構成されている。
【００１９】
連結用係止突片７２は弾性変形可能であり、連結用係止突片７２の先端部の外側には掛止突部７３が形成され、連結用係止突片７２の内側及び掛止突部７３の外側の中央には縦方向にリブ７４，７５が形成されている。
【００２０】
図７に示すように、連結用突部７の内側には連結用突部７と同じ高さで上端が閉塞された円筒体８が左右に一対形成され、円筒体８の下端部８１は、図５のように下保持体５の上面から立設されている。そして、この円筒体８により円筒体８内には連結用突部７の内部から下保持体５の上面の上方にかけて縦方向に長い円柱状の嵌合孔９（下嵌合部の一例）が形成されている。
【００２１】
一方、図５及び図９に示すように、上保持体６の下面中央には下保持体５の嵌合孔９に対応して左右一対の長尺で円柱状の嵌合突起１０（上嵌合部の一例）が立設されている。
【００２２】
このように、連結用突部７の内の空間を利用して長尺の嵌合孔９を形成するので、下保持体５から下方向にだけ形成するのに比べ、連結用突部７の高さ分だけ嵌合孔９を長くすることができ、また、嵌合孔９に対応して上保持体６の嵌合突起１０を長く形成している。したがって、図１０のように、上下の保持体６，５を相対向させて上保持体６の嵌合突起１０の先端部を下保持体５の嵌合孔９の下端部に嵌合した状態では上下の保持体６、５の間に軟質発泡体３の挿入可能の隙間が確保される。また、図５に示すように、嵌合突起１０の先端部を嵌合孔９の奥まで嵌合することにより上下の保持体６，５が結合位置までガイドされて、該結合位置に位置決めされることとなる。
【００２３】
なお、嵌合孔９及び嵌合突起１０の形状は特に限定されるものではなく、例えば、左右に長い板状等としても良い。
【００２４】
したがって、洗浄ヘッド１を組み立てる場合には、上下の保持体６，５は嵌合孔９及び嵌合突起１０にてガイドされながら軟質発泡体３を挟持することができ、軟質発泡体３を圧縮しながら上下の保持体６，５を合致位置に位置決めする作業が容易になる。
【００２５】
また、上下の保持体６，５が完全に合致する手前で、上下のブレード挟持部６２，５２の間に拭き取りブレード４を挿入して挟持する。このとき、拭き取りブレード４は下ブレード挟持部６２の係止突起６６によって係止されるので、上下の保持体６，５を完全に合致させる前であっても拭き取りブレード４が不用意に抜け落ちることがなくなる。また、後述のように上下の保持体６，５をねじ止めして組み立てた状態では、係止突起６６が拭き取りブレード４に食い込むことによって拭き取りブレード４は完全に係止され、拭き取りブレード４の前後方向の移動を確実に防止できる。なお、係止突起６６の高さや間隔は適宜設計変更できるものである。
【００２６】
そして、軟質発泡体３及び拭き取りブレード４を挟持した状態で上下の保持体６，５を合致した後、図６のようにねじ１１を上保持体６のねじ挿入孔６５を介して下保持体５のねじ孔５５に螺合することにより上下の保持体６，５をねじ止めする。
【００２７】
図１のように、把持体２は、棒状の把持本体２１と、この把持体２と洗浄ヘッド１を継ぐための中継筒体２２とで構成されている。
【００２８】
図２のように、中継筒体２２の中間部には一対の洗浄液の吹出窓２３が設けられている。この一対の吹出窓２３は中継筒体２２の周方向に１８０度の間隔が設けられると共に、同じ高さ位置に同じ大きさで同じ形状に形成され、中継筒体２２の下部の内径は下保持体５の連結用突部７の外径とほぼ同寸法に設定されている。また、中継筒体２２の上部の内周側には雌ねじ部３２が形成されている。
【００２９】
図１１および図１２に示すように、中継筒体２２の下部の内周側には周方向に１８０度間隔を設けて一対の係止部２４が設けられている。この係止部２４は左右一対の係止台２５と係止台２５の外側に位置する左右一対のガイド部２６とで構成されている。
【００３０】
図２に示すように、把持本体２１は、中継筒体２２と同径の棒状の洗剤容器２７にキャップ２８を取り付けて形成されている。キャップ２８には吹付ノズル２９付き操作ボタン３０及びポンプ機構部が取り付けられ、ポンプ機構部から洗剤容器２７内に吸引チューブが導出され、キャップ２８の操作ボタン３０の上下動によってポンプ機構部が駆動して吹付ノズル２９の吹出口３１から洗浄液が吹き出すようになっている。また、洗剤容器２７の上端部の外周には雄ねじ部３３が形成されている。
【００３１】
操作ボタン３０は、３６０度回転できて吹付ノズル２９の吹出口３１の向きが自由に変えられるようになっている。
【００３２】
図１１及び図１２のように、中継筒体２２の下部と洗浄ヘッド１の下保持体５の連結用突部７との連結状態を示している。中継筒体２２の下部を連結用突部７に嵌合すると共に、連結用係止突片７２を中継筒体２２のガイド部２６間に挿入することにより、連結用係止突片７２が弾性変形して掛止部７３が中継筒体２２の係止台２５に乗り上げる。中継筒体２２が連結用突部７に完全に嵌合した場合には、下保持体５の連結用係止突片７２の掛止部７３が係止台２５の下面に係止する。なお、中継筒体２２を上記嵌合方向とは逆の方向に通常の洗浄作業では発生しない力で強く引くことにより、掛止部の掛止状態は解除される。
【００３３】
把持本体２１と中継筒体２２は雄ねじ部３３と雌めじ部３２を螺合することにより連結されるが、吹付ノズル２９の吹出口３１と中継筒体２２の吹出窓２３とが合致しない場合には、吹付ノズル２９を回転させて吹出口３１を吹出窓２３に向ける。この場合、吹出口３１を一対の吹出窓２３のうち回転角度が小さくて済む吹出窓２３の方向に向ければ良く、吹付ノズル２９を最大でも４５度という小さな回転角度で吹付ノズル２９の吹出口３１を吹出窓２３に合致させることができる。
【００３４】
図１３は、第２の実施の形態を示している。下嵌合部は、先部に掛止部９ａが形成され且つ基端が連結用位置決め突片７１に固定された軸体９ｂにて構成され、この軸体９ｂは、下保持体５の連結用突部７の内部から下保持体５の上面側にかけて形成されている。
【００３５】
上嵌合部は、上保持体６の下面から互いに近接して立設される弾性変形可能な一対の受け片１０ａにて構成され、各受け片１０ａの中間部の内側には掛止受部１０ｂが形成されている。
【００３６】
そして、軸体９ｂの掛止部９ａを一対に受け片１０ａの上部の間に挿入したときには、第１の実施の形態と同様に、上下の保持体６，５の間に軟質発泡体３を挿入するための隙間が確保される。また、上下の保持体６，５が合致した状態では（下保持体５を二点鎖線で示している）、軸体９ｂの掛止部９ｂが一対の受け片１０ｂの下部の間まで進入して掛止受部１０ｂに係止する。
【００３７】
また、本実施の形態では、第１の実施の形態のねじ挿通孔６５、ねじ孔５５及びねじ１１に代えて、先部に係止部６５ａを有する弾性変形可能な連結片６５ｂを上保持体６の左右両側から立設し、上下の保持体６，５が合致したときには係止部６５ａが下保持体５の両端面を乗り越えて下保持体５の下面に係止するようになっている。
【００３８】
このように本実施の形態によれば、ねじ止め作業が不要となって洗浄ヘッド１の組立が容易になる。なお、上下の保持体６，５を引き離すときには、連結片６５ａを外側に弾性変形させて係止部６５ａを下保持体５から解除した状態で、上下の保持体６，５を強制的に引き離して軸体９ａの掛止部９ｂを受け片１０ａの掛止受部１０ｂから解除する。
【００３９】
なお、その他の構成は、第１の実施の形態と同じであるので、第１の実施の形態と同符号を付することによりその説明を省略する。
【符号の説明】
【００４０】
１      洗浄ヘッド
２      把持体
３      軟質発泡体
４      拭き取りブレード
５      下保持体
６      上保持体
７      連結用突部
９      嵌合孔（下嵌合部の一例）
１０    嵌合突起（上嵌合部の一例）
２９    吹付ノズル
３１    吹出口
【図１】
2010099506.tif 000003
【図２】
2010099506.tif 000004
【図３】
2010099506.tif 000005
【図４】
2010099506.tif 000006
【図５】
2010099506.tif 000007
【図６】
2010099506.tif 000008
【図７】
2010099506.tif 000009
【図８】
2010099506.tif 000010
【図９】
2010099506.tif 000011
【図１０】
2010099506.tif 000012
【図１１】
2010099506.tif 000013
【図１２】
2010099506.tif 000014
【図１３】
2010099506.tif 000015